(57)【要約】【課題】  小さな力で閉塞部材を閉状態及び開状態に自動に移動させることができるキャビネットを提供する。【解決手段】  キャビネット本体２と該キャビネット本体２の開口部２ｂを閉塞する開閉自在な閉塞部材３の内、一方に永久磁石１０を設けると共に、他方にキャビネット本体２の開口部２ｂを閉塞部材３にて閉塞した際において前記永久磁石１０に対向する電磁石９を設ける。電磁石９に該電磁石９と前記永久磁石１０とが反発して閉塞部材３が閉状態から開状態に移動する方向に電流を流すか、又は電磁石９に該電磁石９と前記永久磁石１０とが引き合って閉塞部材３が開状態から閉状態に移動する方向に電流を流すか、を切り換える切換えスイッチ１１を設ける。【選択図】        図１
2006009366.tif 000002
【特許請求の範囲】
【請求項１】
キャビネット本体と該キャビネット本体の開口部を閉塞する開閉自在な閉塞部材の内、一方に永久磁石を設けると共に、他方にキャビネット本体の開口部を閉塞部材にて閉塞した際において前記永久磁石に対向する電磁石を設け、電磁石に該電磁石と前記永久磁石とが反発して閉塞部材が閉状態から開状態に移動する方向に電流を流すか、又は電磁石に該電磁石と前記永久磁石とが引き合って閉塞部材が開状態から閉状態に移動する方向に電流を流すか、を切り換える切換えスイッチを設けて成ることを特徴とするキャビネット。
【請求項２】
上記電磁石の電源のＯＮ／ＯＦＦを切換える電源スイッチを設けて成ることを特徴とするキャビネット。
【発明の詳細な説明】
【技術分野】
【０００１】
本発明は、閉塞部材を自動で開閉するキャビネットに関するものである。
【背景技術】
【０００２】
従来から知られているキャビネットには、キャビネット本体の開口部を閉塞する引出しや扉等からなる閉塞部材を自動で開くようにしたものがある。
【０００３】
この種のキャビネットには、閉塞部材にばねにより常時閉塞部材が開く方向にばね力を付勢し、該閉塞部材を閉塞状態でロックするロック機構を備えたものが一般的であり、このものは閉塞部材を閉塞状態からばね力に抗してさらに押し込むことでロック機構による閉塞部材のロックを解除し、ばね力により閉塞部材を開く方向に移動させて閉塞部材を開状態とするものである。
【０００４】
しかしながら上記従来例にあっては、閉塞部材を閉状態に自動で移動させることができず、さらにはこの閉塞部材を閉める際にはばね力に抗して閉塞部材を移動しなければならず、さらには閉塞部材を開状態にする際にあっては、閉塞部材を閉状態からばね力に抗してさらに押し込むことでロック機構による閉塞部材のロックを解除しなければならず、小さな力で閉塞部材を開閉することができない。このため例えば両手が塞がれる等して閉塞部材を移動させる方向に大きな力を加えることができない人や、老人や障害者等にあっては、閉塞部材を移動して閉状態や開状態にできない場合があった。さらには従来のこの種のキャビネットにあっては、ロックを解除するための閉塞部材のストロークのための隙間を設ける必要であり、例えば閉塞部材が引出しの場合にあっては引出しの前板とキャビネット本体との間に前記閉塞部材のストロークのための隙間を設けなければならず、また閉塞部材が扉の場合には扉とキャビネット本体との間に前記閉塞部材のストロークのための隙間を設けなければならず、引出しや扉にてキャビネット本体の開口部をぴったりと閉塞できないことがあった。
【０００５】
また上記したようなキャビネットにおいては、ロック機構に連動するスイッチを操作することでロック機構による閉塞部材のロックを解除するものもあり、このものはロックを解除する際に閉塞部材をさらに押し込むといった操作が必要なく、また閉塞部材のストロークのための隙間を設ける必要もない（例えば、特許文献１参照）。
【０００６】
しかしながら上記特許文献１に示す従来例にあっては、閉塞部材を閉状態に自動で移動させることができず、さらにはこの場合、ばねに抗して閉塞部材を閉塞しなければならず、小さな力で閉塞部材を閉状態にすることができない。
【特許文献１】特開２００４−４１６１６号公報
【発明の開示】
【発明が解決しようとする課題】
【０００７】
本発明は上記従来の問題点に鑑みて発明したものであって、小さな力で閉塞部材を閉状態及び開状態に自動に移動させることができ、老人や障害者等にあっても容易に閉塞部材を開閉できるキャビネットを提供することを課題とする。
【課題を解決するための手段】
【０００８】
上記課題を解決するために本発明に係るキャビネットは、キャビネット本体２と該キャビネット本体２の開口部２ｂを閉塞する開閉自在な閉塞部材３の内、一方に永久磁石１０を設けると共に、他方にキャビネット本体２の開口部２ｂを閉塞部材３にて閉塞した際において前記永久磁石１０に対向する電磁石９を設け、電磁石９に該電磁石９と前記永久磁石１０とが反発して閉塞部材３が閉状態から開状態に移動する方向に電流を流すか、又は電磁石９に該電磁石９と前記永久磁石１０とが引き合って閉塞部材３が開状態から閉状態に移動する方向に電流を流すか、を切り換える切換えスイッチ１１を設けて成ることを特徴とする。
【０００９】
上記構成により、小さな力で切換えスイッチ１１を操作して電磁石９と永久磁石１０との反発力を利用して閉塞部材３を閉状態から開状態にしたり、切換えスイッチ１１を操作して電磁石９と永久磁石１０との吸引力を利用して閉塞部材３を開状態から閉状態にしたりでき、これにより老人や障害者等にあっても閉塞部材３を容易に閉状態及び開状態にできる。
【００１０】
また請求項２は請求項１において、上記電磁石９の電源のＯＮ／ＯＦＦを切換える電源スイッチを設けて成ることを特徴とする。
【００１１】
このように電磁石９の電源のＯＮ／ＯＦＦを切換える電源スイッチを設けることで、引出し３ａを自動で開閉したい時には電源スイッチを操作して電磁石９の電源をＯＮとし、引出し３ａを自動で開閉する必要がない時には電源スイッチを操作して電磁石９の電源をＯＦＦとすることができ、省エネを実現できる。
【発明の効果】
【００１２】
本発明では、小さな力で閉塞部材を閉状態及び開状態に自動に移動させることができ、老人や障害者等にあっても容易に閉塞部材を開閉できる。
【発明を実施するための最良の形態】
【００１３】
以下、本発明を添付図面に示す実施形態に基いて説明する。
【００１４】
図１〜３に本実施形態のキャビネット１の概略説明図を示す。図１に示すようにキャビネット１は、内部に空所部２ａを有し且つ前面に空所部２ａ内に連通する開口部２ｂを形成した箱状のキャビネット本体２と、キャビネット本体２の開口部２ｂを閉塞する開閉自在な閉塞部材３とを有している。
【００１５】
本実施形態の閉塞部材３は上記キャビネット本体２の空所部２ａ内を前後方向に移動して空所部２ａ内に出し入れ自在に収納される引出し３ａである。引出し３ａは、底板４と、底板４の両側端に立設した側板５と、底板４の後端に立設した後板６と、を有する引出し本体１３と、引出し本体１３の底板４、両側板５、後板６、で囲まれた空間を前方から覆うように引出し本体１３に設けた前板７とからなり、底板４、前板７、両側板５、後板６、によって囲まれた上方に開口する空間８を収納物を収納する収納部としている。
【００１６】
上記引出し３ａは、引出し本体１３の全部を図１に示すようにその前後方向の移動範囲における後端まで移動してキャビネット本体２の空所部２ａ内に収納した状態で、引出し３ａの前板７でキャビネット本体２の開口部２ｂを閉塞するものであり、またこの状態から引出し３ａを前方に移動させることで引出し３ａの前板７でキャビネット本体２の開口部２ｂを閉塞せずに開放するものである。
【００１７】
そして上記キャビネット１にあっては、キャビネット本体２と引出し３ａの内、一方に永久磁石１０を設けると共に、他方にキャビネット本体２の開口部２ｂを引出し３ａにて閉塞した際において前記永久磁石１０に対向する電磁石９を設けている。具体的には引出し本体１３の後板６の後面に電磁石９を設けてあり、キャビネット本体２の空所部２ａの奥面、即ちキャビネット本体２の開口部２ｂを引出し３ａにて閉塞した際において引出し３ａの後板６の後面に対向する面に永久磁石１０を設けている。ここで上記電磁石９と永久磁石１０は、引出し３ａを閉状態とした際において引出し３ａの移動方向に並設されているものとする。また電磁石９にあっては電流を流した場合に永久磁石１０側と永久磁石１０とは反対側（即ち引出し３ａの移動方向における両側）が異極となるように配設されており、また永久磁石１０は電磁石９側と電磁石９とは反対側（即ち引出し３ａの移動方向における両側）が異極となるように配設されており、本実施形態の永久磁石１０は電磁石９側をＮ極とし電磁石９とは反対側をＳ極としている。
【００１８】
上記電磁石９の電源は電池等の直流電源からなり、キャビネット１（引出し３ａ又はキャビネット本体２）に設けられている。電源は配線１２を介して電磁石９に電気的に接続されており、この電源から前記電磁石９に常時電力を供給して電流を流している。
【００１９】
上記引出し３ａの前板７の前面には電磁石９の電流の流れる向きを逆方向に切り換える切換えスイッチ１１を設けている。つまりこの切換えスイッチ１１は、電磁石９の電流の流れる向きを、電磁石９と永久磁石１０の対向する極が同極となる方向（即ち本実施形態では永久磁石１０の電磁石９側の極がＮ極であるので電磁石９の永久磁石１０側の極がＮ極となる方向）とするか、又は電磁石９と永久磁石１０の対向する極が異極となる方向（即ち本実施形態では電磁石９の永久磁石１０側の極がＳ極となる方向）とするか、を切り換えるものである。なお上記切換えスイッチ１１は使用者の操作し易い箇所である引出し３ａの前面に設けた把手（図示せず）や引出し３ａの前面における前記把手近傍に設けても良いものとする。
【００２０】
そして上記キャビネット１にあっては、前述した切換えスイッチ１１を操作することで、引出し３ａの前板７にて開口部２ｂを閉塞した閉状態から閉塞していない開状態にまで引出し３ａを前方に自動で移動させたり、又は前記開状態から閉状態にまで引出し３ａを後方に自動で移動させたりできるようになっている。
【００２１】
引出し３ａを閉状態から開状態にするには、使用者は切換えスイッチ１１を操作して、電磁石９の電流の流れる向きを、電磁石９と永久磁石１０の互いに対向する極が同極となる方向とする。これにより図２に示すように電磁石９と永久磁石１０は反発し、該電磁石９と永久磁石１０の反発力により開状態にある引出し３ａは開口部２ｂを開放する方向（即ち前方）に移動して開状態となる。
【００２２】
また引出し３ａを開状態から閉状態にするには、使用者は切換えスイッチ１１を操作して、電磁石９の電流の流れる向きを、電磁石９と永久磁石１０の互いに対向する極が異極となる方向とする。これにより図３に示すように電磁石９と永久磁石１０は引き合い、該電磁石９と永久磁石１０の吸引力により、引出し３ａは開口部２ｂを閉塞する方向（即ち後方）に移動して閉状態となる。
【００２３】
このように本実施形態では、小さな力で切換えスイッチ１１を操作するだけで、引出し３ａを開状態から閉状態又は閉状態から開状態に自動で移動させることができ、これにより大きな力を引出し３ａに対して加えることのできない老人や障害者等にあっても、容易に引出し３ａを閉状態及び開状態にできる。またこの引出し３ａの開閉は電磁石９に流れる電流の向きを逆方向に切り換える切換えスイッチ１１の操作により行えるため、従来例に示したように引出し３ａのストロークのための隙間を設ける必要がなく、これにより引出し３ａの前板７にてキャビネット本体２の開口部２ｂを完全に閉塞できる。
【００２４】
さらには上記引出し３ａを閉状態にした場合には図１に示すように電磁石９と永久磁石１０とが接合した状態となるのだが、この場合には電磁石９には電磁石９と永久磁石１０の互いに対向する極が異極となる方向に電流が流れて、電磁石９と永久磁石１０には吸引力が働いているため、引出し３ａはその閉塞状態でキャビネット本体２に対してロックされている状態となっており、これによりキャビネット本体２が地震や搬送時に揺れた際に引出し３ａがキャビネット本体２から飛び出すことを防止できる。
【００２５】
ところで上記キャビネット１の電磁石９には電源より常に電力が供給されているため、引出し３ａの開閉を行わない時にも電力が消費されてしまうという問題がある。そこで上記キャビネット１に、電磁石９の電源のＯＮ／ＯＦＦを切換える電源スイッチ（図示せず）を設けることが好ましい。例えばこの電源スイッチは使用者が操作できる引出し３ａの前板７の前面等に設けられているものとする。
【００２６】
このように電磁石９の電源のＯＮ／ＯＦＦを切換える電源スイッチを設けることで、引出し３ａを自動で開閉したい時には電源スイッチを操作して電磁石９の電源をＯＮとし、引出し３ａを自動で開閉する必要がない時には電源スイッチを操作して電磁石９の電源をＯＦＦとすることができ、これにより省エネが図れる。またこの場合特に引出し３ａを長時間閉状態とする場合には有用である。
【００２７】
なお以上説明してきた実施形態では引出し３ａの後板６の後面に電磁石９を設けると共にキャビネット本体２の奥面に永久磁石１０を設けたが、引出し３ａの側板５の外面に電磁石９を設けると共にキャビネット本体２の空所部２ａの内側面にこの電磁石９に対向する永久磁石１０を設けても良いし、また引出し３ａの前板７の後面に電磁石９を設けるとキャビネット本体２の前面における開口部２ｂの周縁部にこの電磁石９に対向する永久磁石１０を設けても良いものとする。
【００２８】
さらには上記では、キャビネット本体２に永久磁石１０を設け、引出し３ａにキャビネット本体２の開口部２ｂを引出し３ａにて閉塞した際において前記永久磁石１０に対向する電磁石９を設けたが、上記実施形態における電磁石９と永久磁石１０との位置関係を逆として、引出し３ａに永久磁石１０を設け、キャビネット本体２にキャビネット本体２の開口部２ｂを引出し３ａにて閉塞した際において前記永久磁石１０に対向する電磁石９を設けても良いものとする。
【００２９】
また上記実施形態ではいずれも閉塞部材３を引出し３ａとしたキャビネット１に電磁石９及び永久磁石１０を設けた例を示したが、図４に示すようにキャビネット１の閉塞部材３を扉３ｂとし、このキャビネット１において、キャビネット本体２と扉３ｂの内、一方に永久磁石１０を設けると共に、他方にキャビネット本体２の開口部２ｂを扉３ｂにて閉塞した際において前記永久磁石１０に対向する電磁石９を設けても良いものとする。ここで図４のキャビネット１では、扉３ｂを、一端をキャビンネット本体２に回動自在に連結し且つ他端を自由端とした回動扉としており、また電磁石９（又は永久磁石１０）を扉３ｂの後面に設け、永久磁石１０（又は電磁石９）を、キャビネット本体２の開口部２ｂを扉３ｂにて閉塞した状態において、キャビネット本体２の前面において扉３ｂの後面に対向する開口部２ｂの周縁部に設けてある。
【図面の簡単な説明】
【００３０】
【図１】本発明の実施の形態の一例を示し、図は引出しが閉状態にあるキャビネットの説明図である。
【図２】同上の引出しが開状態となる際の説明図である。
【図３】同上の引出しが閉状態となる際の説明図である。
【図４】本発明の実施の形態の他例を示すキャビネットの要部拡大斜視図である。
【符号の説明】
【００３１】
１  キャビネット
２  キャビネット本体
２ｂ  開口部
３  閉塞部材
１０  永久磁石
１１  切換えスイッチ
【図１】
2006009366.tif 000003
【図２】
2006009366.tif 000004
【図３】
2006009366.tif 000005
【図４】
2006009366.tif 000006